(57)【特許請求の範囲】
【請求項１】
椅子の背凭れの少なくとも前面及び背面を被覆するように装着される背凭れカバーであって、
前記背凭れカバーは、前記背凭れの前面または背面を被覆可能な第１の被覆面部及び第２の被覆面部を有し、該第１の被覆面部または第２の被覆面部の少なくともいずれか一方には、流体を密閉可能な密閉空間が形成され、該密閉空間内に充満された流体により少なくとも内向きに膨出して前記背凭れを締め付けるクッション部が構成されることを特徴とする背凭れカバー。
【請求項２】
前記密閉空間内と外部とを連通する連通路と、該連通路を閉鎖可能な閉鎖手段と、からなる流体流通部を備える請求項１に記載の背凭れカバー。
【請求項３】
前記流体流通部は、前記クッション部の内壁面に設けられている請求項２に記載の背凭れカバー。
【請求項４】
前記椅子は、遊技場に設置される複数の遊技機に対応して配設される椅子であって、
前記第１の被覆面部または前記第２の被覆面部の少なくともいずれか一方の外面に、当該背凭れカバーを装着する椅子に対応する遊技機に使用されている機種固有のキャラクタが描かれている請求項１〜３のいずれかに記載の背凭れカバー。
【請求項５】
前記クッション部は、前記密閉空間内に充満される流体により外向きに膨出するように構成されており、該クッション部の外面に前記キャラクタが描かれている請求項４に記載の背凭れカバー。
【請求項６】
前記密閉空間内に、クッション部の形状を保持する補助板が設けられている請求項１〜５のいずれかに記載の背凭れカバー。
【発明の詳細な説明】
【技術分野】
【０００１】  本発明は、椅子の背凭れに装着される背凭れカバーに関する。
【背景技術】
【０００２】  従来、この種の背凭れカバーとしては、例えば内面に発泡ウレタン層を備えたクッション性を有するシートを下方開放の袋状体に縫製し、椅子の背凭れの上方から着脱自在に装着できるようにしたもの等がある（例えば、特許文献１参照）。【０００３】  また、背凭れのクッション性を高めることを目的とした背凭れ用マットとして、例えば可撓性を有するマット基板における凭れ面側に、加圧ポンプにより膨張収縮自在なエアクッションを、前記マット基板を覆う伸縮性の生地からなるマットカバーとマット基板との間に保持し、エアクッションが凭れ面側に膨張するようにしたもの等がある（例えば、特許文献２参照）。【０００４】
【特許文献１】登録実用新案第３０９９２１８号公報（第４頁、第１−２図参照）
【特許文献２】登録実用新案第３０５７１３２号公報（第７−８頁、第１、３図参照）
【発明の開示】
【発明が解決しようとする課題】
【０００５】  しかしながら、上記特許文献１に記載の背凭れカバーにあっては、背凭れの上方から簡単に装着することができるが、例えば背凭れカバーが背凭れよりも大き過ぎる場合には、装着は簡単であるものの、使用時において位置ずれが生じたり、起立時に背凭れから逸脱してしまう虞がある。逆に小さすぎる場合には、位置ずれや逸脱はないものの、きつくなるために装着しにくいといった問題を有していた。【０００６】  また、特許文献２に記載の背凭れマットにあっては、着座者の体型や要望等に応じてエアクッションを膨張収縮させることでクッションの厚みを変化させることができるものの、背凭れの所定位置に設置した状態で固定ベルトを介して背凭れに装着しなければならないため、装着に手間がかかるといった問題があった。【０００７】  本発明は、このような問題点に着目してなされたもので、適度なクッション性を有し、かつ、背凭れに簡単に装着できるとともに、装着時における位置ずれや逸脱を防止できる背凭れカバーを提供することを目的とする。
【課題を解決するための手段】
【０００８】  上記課題を解決するために、本発明の請求項１に記載の背凭れカバーは、
椅子の背凭れの少なくとも前面及び背面を被覆するように装着される背凭れカバーであって、
前記背凭れカバーは、前記背凭れの前面または背面を被覆可能な第１の被覆面部及び第２の被覆面部を有し、該第１の被覆面部または第２の被覆面部の少なくともいずれか一方には、流体を密閉可能な密閉空間が形成されており、該密閉空間内に充満された流体により少なくとも内向きに膨出して前記背凭れを締め付けるクッション部が構成されることを特徴としている。
この特徴によれば、密閉空間内に充満された流体によりクッション部が構成されることで、背凭れに背凭れカバーを装着してもクッション性が損なわれることがないばかりか、装着した際にクッション部により背凭れが締め付けられ、背凭れカバーの位置ずれや逸脱が効果的に防止されるため、簡単に装着できるとともに、装着手段等を別途設ける必要がないので構造が簡素化される。【０００９】  本発明の請求項２に記載の背凭れカバーは、請求項１に記載の背凭れカバーであって、
前記密閉空間内と外部とを連通する連通路と、該連通路を閉鎖可能な閉鎖手段と、からなる流体流通部を備えることを特徴としている。
この特徴によれば、使用時に流体を充填することでクッション部を形成することができるため、嵩張ることがないようにコンパクト化した状態で運搬や保管できるとともに、着座者の体型あるいは背凭れの大きさや形状等に合わせて密閉空間内の流体の充填量を調整することでクッション部の厚みを変えられるため、着座者の所望する厚みのクッション部を構成することができる。【００１０】  本発明の請求項３に記載の背凭れカバーは、請求項２に記載の背凭れカバーであって、
前記流体流通部は、前記クッション部の内壁面に設けられていることを特徴としている。
この特徴によれば、閉鎖手段がクッション部の外面側に露呈して着座者の背中に当たることがないので、着座者に不快感を与えることがないばかりか、外観体裁を損ねることがない。【００１１】  本発明の請求項４に記載の背凭れカバーは、請求項１〜３のいずれかに記載の背凭れカバーであって、
前記椅子は、遊技場に設置される複数の遊技機に対応して配設される椅子であって、
前記第１の被覆面部または前記第２の被覆面部の少なくともいずれか一方の外面に、当該背凭れカバーを装着する椅子に対応する遊技機に使用されている機種固有のキャラクタが描かれていることを特徴としている。
この特徴によれば、背凭れの前面または背面スペースを、対応する遊技機の機種の宣伝・広告用スペースとして利用することができる。
なお、遊技機はいわゆるパチンコ機やスロットマシン等を含む。【００１２】  本発明の請求項５に記載の背凭れカバーは、請求項４に記載の背凭れカバーであって、
前記クッション部は、前記密閉空間内に充満される流体により外向きに膨出するように構成されており、該クッション部の外面に前記キャラクタが描かれていることを特徴としている。
この特徴によれば、クッション部の外面に描かれたキャラクタを立体的に見せることができることで、椅子の側方からのキャラクタの視認性が向上するため、宣伝効果を効果的に高めることができる。【００１３】  本発明の請求項６に記載の背凭れカバーは、請求項１〜５のいずれかに記載の背凭れカバーであって、
前記密閉空間内に、クッション部の形状を保持する補助板が設けられていることを特徴としている。
この特徴によれば、密閉空間内に流体が十分に充満されていない状態でもクッション部の形状が保持されるため、外観体裁が損なわれることがない。
【発明を実施するための最良の形態】
【００１４】  本発明の実施例を以下に説明する。
【実施例】
【００１５】  本発明の実施例を図面に基づいて説明する。図１は本発明の実施例としての背凭れカバー５が椅子に適用された状態を示す斜視図であり、図２（ａ）は図１に適用された背凭れカバーを示す正面図であり、（ｂ）は背面図であり、図３は図２のＡ−Ａ断面図であり、図４は背凭れカバーが背凭れに装着された状態を示す要部拡大断面図であり、図５は図４のＢ−Ｂ断面図であり、図６は背凭れカバーの前面と背面とを反転して装着した状態を示す断面図であり、図７は変形例としての背凭れカバーの使用状態を示す斜視図である。【００１６】  図１には、本発明の背凭れカバーが適用された遊技場内の一部が示されている。本実施例における遊技場内には、遊技機の一例であるパチンコ機２が複数設置された遊技島１が複数（図１中には１島のみ）配設されているとともに、各遊技島１に複数設置された各パチンコ機２に対応して椅子３が配設されており、各椅子３の背凭れ４には、本発明の実施例としての背凭れカバー５が装着されている。【００１７】  本実施例におけるパチンコ機２は、複数種類の図柄を変動表示させることが可能な可変表示装置６を備えており、各可変表示装置６による変動表示結果として、例えば７７７等の予め定められた当たり図柄の組合せが入賞ライン上に揃うと、遊技客に対して遊技媒体の一例であるパチンコ球が所定量払い出されるようになっている。また、遊技客に対して払い出されたパチンコ球は、図１に示されるように、各パチンコ機２に対応して配置される遊技媒体貯留箱としての球箱８内に貯留できるようになっている。なお、球箱８の側面には、可変表示装置６にて変動表示される複数種類の図柄のうちの１種の図柄が印刷されたシール７が貼着されている。【００１８】  本実施例の背凭れカバー５は、図２及び図３に示されるように、汚れに強く、かつ耐久性を有する塩化ビニル製の２枚のシート材９ａ、９ｂにおける下辺を除く左右側辺及び上辺を熱溶着にて一体化することにより、背凭れ４の上方から着脱自在に装着できるように下面が開口する袋状体として形成されている。２枚のシート材９ａ、９ｂは、主に背凭れ４の前面４ａ及び背面４ｂ（図４参照）それぞれを被覆可能な左右幅を有するとともに、上下幅は背凭れ４よりも長寸の上下幅を有しており、これら２枚のシート材９ａ、９ｂにより、背凭れ４の前面４ａまたは背面４ｂをそれぞれ被覆可能な第１の被覆面部及び第２の被覆面部が形成されている。なお、以下においては、シート材９ａにより背凭れ４の前面４ａを被覆し、シート材９ｂにより背凭れ４の背面４ｂを被覆する場合を説明する。【００１９】  特に図２に示されるように、シート材９ａ、９ｂにおける直線状の下辺及び左右側辺にて形成される略正方形状の領域が、背凭れ４の前面４ａ及び背面４ｂを被覆する被覆面部５ａ（第１の被覆面部及び第２の被覆面部）とされているとともに、上部の略半円状の領域が、背凭れ４への装着時において該背凭れ４の上端よりも上方に突出する突出部５ｂとされている。【００２０】  シート材９ａの内面側には、シート材９ａよりも小形の塩化ビニル製のシート材９ｃが、その周縁をシート材９ａに対して熱溶着することにより取り付け一体化されており、これらシート材９ａ、９ｃにより形成された密閉空間Ｓ１内に流体｛本実施例ではエアー（空気）｝を注入することで、特に図３及び図４に示されるような第１のクッション部としてのエアクッション部１０が構成されるようになっている。なお、図２（ａ）に示されるラインＬ１は、シート材９ａとシート材９ｃとの接合ラインであるため、エアクッション部１０は接合ラインＬ１にて囲まれた領域に構成される。【００２１】  エアクッション部１０の内壁面を構成するシート材９ｃの下部には、図３に示されるように、密閉空間内にＳ１内にエアーを注入するためのゴム製のエアー注入口１２が設けられている。この流体流通部を構成するエアー注入口１２は、密閉空間Ｓ１内と外部とをエアーの流通を可能に連通する連通路１２ａと、連通路１２ａの外側の開口を閉鎖可能な閉鎖手段としての蓋１２ｂとから構成されており、エアー注入口１２を介して密閉空間Ｓ１内にエアーを充填したり、密閉空間Ｓ１内に充填されたエアーを抜いてエアクッション部１０を膨張収縮させて厚みを調整できるようになっている。なお、蓋１２ｂの代わりに、連通路１２ａ内に逆止弁等を設け、これを閉鎖手段としてもよい。【００２２】  また、密閉空間Ｓ１内には、厚段ボール材からなる補助板１３が収納され、エアクッション部１０の折れ曲がりが防止されているため、密閉空間Ｓ１内にエアーが十分に充満されていない状態でもエアクッション部１０の形状が保持され、外観体裁が損なわれることがないようになっている。【００２３】  このように構成されるエアクッション部１０は、密閉空間Ｓ１内に注入されたエアーにより、背凭れ４の前面４ａ側となる内方と、パチンコ機２側である外方とのそれぞれに向けて膨出することにより所定厚みに構成されるようになっている。具体的には、背凭れカバー５の外面を形成するシート材９ａは塩化ビニル製であるために若干の伸縮性を有するため、外向きに膨出することになり、また、シート材９ｃは、同じく伸縮性を有するとともに、シート材９ａとは別個に形成したものを該シート材９ａの内面に取り付けられていることで、シート材９ａを基準として内向き（背凭れ４側）に膨出することになる。【００２４】  一方、シート材９ｂの内面側には、シート材９ｂよりも小形の塩化ビニル製のシート材９ｄが、その周縁をシート材９ｂに対して熱溶着することにより取り付けられており、これらシート材９ｂ、９ｄにより形成された収納空間Ｓ２内には、高密度ウレタン材からなる板状のクッション材１４が収納されており、第２のクッション部としてのクッション部１１が構成されている。なお、図２（ｂ）に示されるラインＬ２は、シート材９ｂとシート材９ｄとの接合ラインであるため、クッション部１１は接合ラインＬ２にて囲まれた領域に構成される。【００２５】  本実施例におけるクッション材１４の厚みは約１０ｍｍとされており、特に図３、図４に示されるように、クッション材１４にて構成されるクッション部１１の厚みは、エアーにより構成されるエアクッション部１０の厚み（約５０〜８０ｍｍ）よりも肉薄とされているため、後述するように装着時に向きを前後反転させることで、着座者は所望の肉厚のクッション部を選択してクッションとして利用することができるようになっ��いる。【００２６】  また、シート材９ａにおける接合ラインＬ１にて囲まれた領域内、つまりエアクッション部１０の外面、及びシート材９ｂにおける接合ラインＬ２にて囲まれた領域内、つまりクッション部１１の外面には、例えば図１に示されるように、当該背凭れカバー５を装着する椅子３に対向配置されているパチンコ機２に使用されているキャラクタＣ、詳しくは、該パチンコ機２に備えられた可変表示装置６の表示画面上に変動表示される複数種類の図柄として使用されるキャラクタＣ（図２、図３では配列番号７番の図柄）が印刷されている。【００２７】  本実施例においては、可変表示装置６にて変動表示される複数種類の図柄のうちの１種のキャラクタＣが、エアクッション部１０及びクッション部１１の外面にそれぞれ印刷されている。このようにエアクッション部１０及びクッション部１１の外面に、可変表示装置６の表示画面上に変動表示される複数種類の図柄として使用されるキャラクタＣを印刷することで、図１に示されるように、背凭れ４の前面または背面スペースを、対応するパチンコ機２の機種の宣伝・広告用スペースとして利用することができる。【００２８】  また、キャラクタＣが外側に膨出するエアクッション部１０の外面及び外側に膨出するクッション部１１の外面に印刷されていることで、それぞれのクッション部１０、１１の外面に描かれたキャラクタＣが立体的に見えるため、椅子３の側方からのキャラクタＣの視認性が向上し、宣伝効果が効果的に高まる。【００２９】  さらに、このようなキャラクタＣを、少なくともパチンコ機２の可変表示装置６の画面上に表示されているよりも大きなスペースである背凭れカバー５の外面に印刷することができることで、遊技場内の遊技客のみならず、遊技場外からの視認性が高まるため、パチンコ機２の近傍に行かなくてもパチンコ機２の機種を遠方から特定することができる。【００３０】  また、キャラクタＣを可変表示装置６にて変動表示される図柄とすることで、印刷されたキャラクタＣを見た遊技客がその椅子３に対応するパチンコ機２の機種をより特定しやすくなる。【００３１】  次に、このように構成された背凭れカバー５の使用状況を、主に図４及び図５に基づいて説明する。背凭れカバー５を使用する際には、まずエアー注入口１２から密閉空間Ｓ１内に適量のエアーを注入し、密閉空間Ｓ１を膨張させてエアクッション部１０を構成した状態で、下面を開口させた状態で背凭れ４の上方から被せるようにして装着する。【００３２】  ここで、背凭れカバー５は、２枚のシート材９ａ、９ｂの左右端辺及び上辺が互いに熱溶着により接合されて下面が開口する袋状体に形成されることで、２枚のシート材９ａ、９ｂが所定幅以上に開くことが規制されるので、背凭れ４に装着した状態において、内向きに膨出するエアクッション部１０が背凭れ４の前面４ａを圧迫し、背凭れカバー５全体が背凭れ４を締め付ける作用が働く。【００３３】  従って、背凭れカバー５を背凭れ４に装着した後に、バンドや紐等により背凭れカバー５を背凭れ４に締め付けたりしなくても、装着した際において背凭れカバー５の背凭れ４に対する位置ずれや逸脱が効果的に防止されるため、簡単に装着することができる。また、���換する際には上方に引き抜くだけで簡単に背凭れ４から取り外すことができる。【００３４】  また、エアクッション部１０の内壁面を構成するシート材９ｃの下部所定箇所にエアー注入口１２が設けられていることで、使用時にエアーを充填することでエアクッション部１０を簡単に形成することができるとともに、非使用時には、エアーを抜いてエアクッション部１０が肉薄となるようにコンパクト化することができるため、運搬時や保管時において嵩張って邪魔になることがない。【００３５】  また、エアクッション部１０の厚みを、密閉空間Ｓ１内のエアーの充填量を調整することで簡単に変化させることができるため、着座者の体型あるいは背凭れ４の大きさや形状等に応じたエアクッション部１０を構成することができる。【００３６】  さらに、このエアー注入口１２は、エアクッション部１０の内壁面を構成するシート材９ｃの下部所定箇所に設けられているため、エアー注入口１２がエアクッション部１０の外面側に露呈して着座者の背中に当たることがないので、着座者に不快感を与えることがないばかりか、外観体裁を損ねることがない。【００３７】  また、第１のクッション部としてのエアクッション部１０の反対側面には、第２のクッション部としてのクッション部１１が形成されているため、例えば着座者が薄肉のクッションを所望する場合には、図６に示されるように、エアクッション部１０が背面４ｂ側でクッション部１１が前面４ａ側となるように、背凭れカバー５の前後面を反転して背凭れ４に装着することで、薄肉のクッション部を使用できるため、着座者は使用状態に応じて所望する厚みのクッション部を選択することができる。【００３８】  よって、例えばこのような遊技場において、椅子３が固定されている場合、例えば体型や遊技する際の姿勢等に合わせて座面や背凭れ４を自由に移動させることができないが、エアクッション部１０のエアー量を調整して厚みを変化させたり、あるいは背凭れカバー５を前後反転してクッション部１１を使用するなど、所望する厚みのクッション部を選択して使用することで、最適な姿勢で遊技を行うことができるため、長期間遊技を行っても疲れにくくなる。【００３９】  さらに肉厚のエアクッション部１０が背凭れ４の背面４ｂ側に位置することで、例えば椅子３の後ろの通路を遊技客や店員が通る際に椅子３に接触することがあっても、エアクッション部１０により衝撃が緩和されるため、安全性が向上する。【００４０】  また、第２のクッション部としてのクッション部１１が板状のクッション材１４にて構成されていることで、クッション部１１を肉薄としても、最適なクッション性が得られる。さらに、第２のクッション部としてのクッション部１１よりも、エアーにて構成される第１のクッション部としてのエアクッション部１０の方を肉厚とすることで、クッション部１１の方を肉厚にした場合に比べて、エアーを抜いたときに背凭れカバー５全体を肉薄状とすることができるため、運搬時や保管時において嵩張ることを回避できる。【００４１】  また、背凭れカバー５の上部には、装着時において背凭れ４の上端よりも上方に突出する突出部５ｂが形成されているとともに、エアクッション部１０が、エアーの注入により被覆面部５ａから突出部５ｂにかけて連続的に構成されるようになっているため、突出部５ｂが背凭れ４に支持されない状態でも、突出部５ｂの形状が内部に充満されたエアーにより維持されるため、背凭れ４に背凭れカバー５を装着するだけで、クッション性を損ねることなく、背凭れ面を簡単に上方に広げることができる。また、これにより着座者の体型が大きい場合や背の低い背凭れに装着する場合等に対応した心地良い快適なクッションを得ることができる。【００４２】  さらに、突出部５ｂの形状がエアクッション部１０にて保持されるとともに、このエアクッション部１０内のエアーをエアー注入口１２から抜くことで、運搬時や収納時において突出部５ｂを折り畳んでコンパクト化することができるため、嵩張って邪魔になることがない。【００４３】  以上、本発明の実施例を図面により説明してきたが、具体的な構成はこれら実施例に限られるものではなく、本発明の要旨を逸脱しない範囲における変更や追加があっても本発明に含まれる。【００４４】  例えば、前記実施例における背凭れカバー５は、２枚のシート材９ａ、９ｂの左右端辺及び上端辺が熱溶着により接合されて下面が開口する袋状体に形成されていたが、必ずしも袋状体に形成されていなくても、背凭れ４の前面４ａ及び背面４ｂを被覆可能な第１の被覆面部と第２の被覆面部とを有していれば、例えば図７に示される背凭れカバー５’のように、２枚のシート材９ａ’、９ｂ’の左右端辺のみを接合し、上面及び下面が開口する筒状のカバーとしてもよい。【００４５】  さらに、前記実施例における背凭れカバー５は、２枚のシート材９ａ、９ｂの左右端辺が直接熱溶着にて接合されていたが、特に図示しないが、例えば第１の被覆面部と第２の被覆面部とを構成するシート材９ａ、９ｂの左右端辺がバンドや紐等で接合されていてもよい。【００４６】  また、前記実施例における背凭れカバー５は、第２のクッション部としてのクッション部１１を形成する収納空間Ｓ２内にはクッション材１４のみが収納されていたが、該収納空間Ｓ２を密閉空間として内部にエアーを充填可能に構成し、クッション性をより向上できるようにしてもよい。【００４７】  また、前記実施例におけるエアクッション部１０は、内部に充填されたエアーにより内外に向けて膨出するように構成されていたが、少なくとも内向きに膨出して背凭れ４を締め付けて装着されるようになっていれば、必ずしも密閉空間Ｓ１内部にエアーが充填されたときに外向きに膨出しなくてもよい。【００４８】  さらに前記実施例におけるエアクッション部１０は、塩化ビニル製のシート材９ａ、９ｃにて内外に向けて膨出するように形成されていたが、例えばシート材９ａにおける接合ラインＬ１に囲まれた領域及びシート材９ｃを、伸縮性を有する素材にて構成することでエアクッション部１０を膨出させるようにしてもよい。なお、シート材９ａ〜９ｃの材質は塩化ビニル材に限定されるものではなく、任意の材質を適用可能である。【００４９】  また、前記実施例における背凭れカバー５は、エアクッション部１０及びクッション部１１が構成可能とされているが、少なくともエアクッション部１０のみが構成可能とされていればよい。【００５０】  また、前記実施例においては、エアクッション部１０及びクッション部１１の外面に、当該背凭れカバー５を装着する椅子３に対応するパチンコ機２に使用されているキャラクタとしての図柄が印刷されているが、例えば可変表示装置６の表示画面上にて変動表示される図柄以外のキャラクタや、可変表示装置６の表示画面上に表示されないが機種固有のものとして使用されるキャラクタ等を印刷してもよいし、あるいは遊技場のイベントや宣伝用等の絵柄や、装飾用の絵柄等を印刷してもよい。【００５１】  また、前記実施例においては、密閉空間Ｓ１内にエアーを充填することによりクッション部１０が構成されるようになっていたが、本発明はエアーに限定されるものではなく、例えばガス等の空気以外の気体を充填してもよいし、あるいは水（溶液）等の液体を充填することでクッション部を構成するようにしてもよい。【００５２】  また、前記実施例における背凭れカバー５は、遊技場の椅子に装着するものとされていたが、本発明の背凭れカバーは、遊技場の椅子に装着するものだけに限定されるわけでなく、遊技場以外の施設、例えば飲食店舗や映画館等の劇場等に設置されている椅子や、あるいはオフィスや家庭用の一般的な椅子等にも適用可能である。
【図面の簡単な説明】
【００５３】
【図１】本発明の実施例としての背凭れカバー５が椅子に適用された状態を示す斜視図である。
【図２】（ａ）は図１に適用された背凭れカバーを示す正面図であり、（ｂ）は背面図である。
【図３】図２のＡ−Ａ断面図である。
【図４】背凭れカバーが背凭れに装着された状態を示す要部拡大断面図である。
【図５】図４のＢ−Ｂ断面図である。
【図６】背凭れカバーの前面と背面とを反転して装着した状態を示す断面図である。
【図７】変形例としての背凭れカバーの使用状態を示す斜視図である。
【符号の説明】
【００５４】１                  遊技島
２                  パチンコ機（遊技機）
３                  椅子
４                  背凭れ
４ａ                前面
４ｂ                背面
５                  背凭れカバー
５ａ                被覆面部（第１の被覆面部及び第２の被覆面部）
５ｂ                突出部
６                  可変表示装置
７                  シール
８                  球箱
９ａ〜９ｄ          シート材
１０                エアクッション部
１１                クッション部
１２                エアー注入口（流体流通部）
１２ａ              連通路
１２ｂ              蓋（閉鎖手段）
１３                補助板
１４                クッション材
Ｌ１、Ｌ２          接合ライン
Ｓ１                密閉空間
Ｓ２                収納空間
【図１】
0004765026.tif 000002
【図２】
0004765026.tif 000003
【図３】
0004765026.tif 000004
【図４】
0004765026.tif 000005
【図５】
0004765026.tif 000006
【図６】
0004765026.tif 000007
【図７】
0004765026.tif 000008